【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
少なくとも１つのポンプ光源と、
該少なくとも１つのポンプ光源に光結合されたシンチレータ・ファイバであって、前記少なくとも１つのポンプ光源の出力を受容して、該少なくとも１つのポンプ光源の出力とは異なる波長帯の光を生成するように使用可能なシンチレータ・ファイバと、
該シンチレータ・ファイバに光結合された光結合素子であって、前記シンチレータ・ファイバからの光を受容するように使用可能な光結合素子と、
該光結合素子に光結合された光ファイバであって、眼内に前記光を導くように使用可能な光ファイバと
を有する、眼科用エンドイルミネータ。
【請求項２】
ライトパイプが前記少なくとも１つのポンプ光源及びシンチレータ・ファイバの両方を収納する、請求項１に記載の眼科用エンドイルミネータ。
【請求項３】
前記シンチレータ・ファイバの遠位端に位置するミラーであって、前記異なる波長帯の少なくとも一部の光を反射し且つ前記少なくとも１つのポンプ光源の出力を伝えるように使用可能であるミラーを更に有する、請求項１に記載の眼科用エンドイルミネータ。
【請求項４】
前記シンチレータ・ファイバは発光コア又は発光クラッディングを有し、該発光コア又は発光クラッディングは、前記異なる波長帯の光を生成するように使用可能である、請求項１に記載の眼科用エンドイルミネータ。
【請求項５】
前記発光コア又は発光クラッディングは白色燐光体を有する、請求項４に記載の眼科用エンドイルミネータ。
【請求項６】
前記シンチレータ・ファイバのコア径及び開口数が共に前記光ファイバのコア径及び開口数と等しく又は該光ファイバのコア径及び開口数よりも小さい、請求項１に記載の眼科用エンドイルミネータ。
【請求項７】
少なくとも１つのポンプ光源と、
該少なくとも１つのポンプ光源に光結合された複数のシンチレータ・ファイバであって、当該複数のシンチレータ・ファイバの各々が前記少なくとも１つのポンプ光源の出力を受容して複数の光出力を生成するように使用可能であり、前記シンチレータ・ファイバの光出力の各々が、前記少なくとも１つのポンプ光源の波長帯とは異なる各波長帯にある、複数のシンチレータ・ファイバと、
合成された光出力を生成すべく前記複数の光出力を合成するように使用可能な光合成素子と、
前記合成された光出力を受容するように使用可能な光結合素子と、
該光結合素子に光結合された光ファイバであって、眼内に前記合成された光出力を導くように使用可能な光ファイバと
を有する、眼科用エンドイルミネータ。
【請求項８】
ライトパイプが前記少なくとも１つのポンプ光源及び複数のシンチレータ・ファイバの両方を収納する、請求項７に記載の眼科用エンドイルミネータ。
【請求項９】
前記複数のシンチレータ・ファイバの遠位端に位置するミラーであって、光を反射し且つ前記少なくとも１つのポンプ光源の出力を伝えるように使用可能なミラーを更に有する、請求項７に記載の眼科用エンドイルミネータ。
【請求項１０】
前記光合成素子は、
Ｘプリズムと、
分散プリズムと、
回折格子とからなるグループから選択された少なくとも１つの光合成素子を有する、請求項７に記載の眼科用エンドイルミネータ。
【請求項１１】
前記複数の蛍光ファイバは、赤色、緑色、及び青色（ＲＧＢ）の有機染料でドープされた蛍光ファイバを有し、且つＲＧＢの光出力を生成するように使用可能である、請求項７に記載の眼科用エンドイルミネータ。
【請求項１２】
前記光結合素子はボールレンズを有する、請求項１又は７に記載の眼科用エンドイルミネータ。
【請求項１３】
前記シンチレータ・ファイバのコア径及び開口数は前記光ファイバのコア径及び開口数と等しく又は該光ファイバのコア径及び開口数よりも小さい、請求項７に記載の眼科用エンドイルミネータ。
【請求項１４】
前記ポンプ光源はＵＶ又は青色のポンプ光源を有する、請求項７に記載の眼科用エンドイルミネータ。
【請求項１５】
少なくとも１つのポンプ光源から最初の出力を発生させることと、
該最初の出力のスペクトル出力とは異なるスペクトル出力を持つ少なくとも１つの光出力を生成すべく前記最初の出力を少なくとも１つの光ファイバに光結合することと、
眼科用エンドイルミネータ・ファイバに前記少なくとも１つの光出力を光結合素子で光結合することと、
眼の内部領域を照射すべく前記眼科用エンドイルミネータ・ファイバで前記光出力を導くことと
を含む、方法。
【請求項１６】
前記少なくとも１つの光ファイバは蛍光ファイバを有する、請求項１５に記載の方法。
【請求項１７】
前記少なくとも１つの光ファイバは、少なくとも２つの異なる有機染料でドープされた蛍光ファイバを有し、前記少なくとも２つの異なる有機染料は、異なる波長の光出力を生成するように使用可能であり、該光出力は、合成されると白色光を生成する、請求項１５に記載の方法。
【請求項１８】
前記少なくとも１つのポンプ光源及び少なくとも１つの光ファイバをライトパイプ内に収納することを更に含む、請求項１５に記載の方法。
【請求項１９】
同じ出力方向に光を生成すべく前記少なくとも１つの光ファイバ内において光を反射することと、
前記少なくとも１つのポンプ光源の出力を前記少なくとも１つの光ファイバに伝えることと
を更に含む、請求項１５に記載の方法。
【請求項２０】
前記光結合素子は、
ボールレンズと、
Ｘプリズムと、
分散プリズムと、
回折格子とからなるグループから選択された少なくとも１つの光合成素子を有する、請求項１５に記載の方法。
【請求項２１】
前記少なくとも１つの光ファイバのコア径及び開口数は前記眼科用エンドイルミネータ・ファイバのコア径及び開口数と等しく又は該眼科用エンドイルミネータ・ファイバのコア径及び開口数よりも小さい、請求項１５に記載の方法。
【請求項２２】
前記ポンプ光源はＵＶ又は青色のポンプ光源を有する、請求項１５に記載の方法。
【請求項２３】
少なくとも１つのポンプ光源と、
該少なくとも１つのポンプ光源に光結合された少なくとも１つの蛍光ファイバであって、前記少なくとも１つのポンプ光源の出力を受容し、当該少なくとも１つの蛍光ファイバの領域が、赤色、緑色、又は青色（ＲＧＢ）の有機染料でドープされ、前記少なくとも１つのポンプ光源の出力からＲＧＢの光出力を生成するように使用可能な少なくとも１つの蛍光ファイバと、
前記複数の光出力を合成して光を生成するように使用可能な光合成素子と、
前記光を受容するように使用可能な光結合素子と、
該光結合素子に光結合された光ファイバであって、眼内に前記光を導くように使用可能な光ファイバと
を有する、眼科用エンドイルミネータ。
【請求項２４】
少なくとも１つのポンプ光源と、
該少なくとも１つのポンプ光源に光結合されたシンチレータ・ファイバであって、眼内において位置決めされるようになっている、当該シンチレータ・ファイバの遠位端にシンチレータ装置を有するシンチレータ・ファイバと
を有する、眼科用エンドイルミネータであって、
前記シンチレータ・ファイバは前記少なくとも１つのポンプ光源の光出力を前記シンチレータ装置に搬送し、
該シンチレータ装置は、前記光出力を受容して、前記少なくとも１つのポンプ光源の光出力とは異なる波長帯の光を生成するように使用可能である、眼科用エンドイルミネータ。
【請求項２５】
前記ポンプ光源はＵＶ光ＬＥＤ又は青色光ＬＥＤを有する、請求項１又は２４に記載の眼科用エンドイルミネータ。
【請求項２６】
前記シンチレータ・ファイバの周りに配置され、且つ、前記少なくとも１つのポンプ光源の光出力の波長帯における光を除去するように構成された光学フィルタを更に有する、請求項２４に記載の眼科用エンドイルミネータ。
【請求項２７】
前記シンチレータ装置は蛍光材料を有する、請求項２４に記載の眼科用エンドイルミネータ。
【請求項２８】
前記シンチレータ装置は燐光材料を有する、請求項２４に記載の眼科用エンドイルミネータ。